(57)【要約】      （修正有）【課題】手に対して簡単な構成で且つ快適な押しマッサージを行うことができる椅子型マッサージ機を提供する。【解決手段】使用者が着座する座部２と、この座部２の後部に設けられた背もたれ部３と、座部２の幅方向両側に立設された肘掛け部５と、を有する椅子型マッサージ機において、前記肘掛け部５の幅方向内側には、有底袋体とされ且つ後方に向かって開口する開口部を有すると共に、当該開口部から前方に向かって挿し込まれた使用者の手のマッサージを可能とする手マッサージ部２０が設けられており、前記手マッサージ部２０は、前部を中心として後部が上下方向に揺動自在とされている構成とする。【選択図】図２
2014061238.tif 000002
【特許請求の範囲】
【請求項１】
使用者が着座する座部と、この座部の後部に設けられた背もたれ部と、座部の幅方向両側に立設された肘掛け部と、を有する椅子型マッサージ機において、
前記肘掛け部の幅方向内側には、有底袋体とされ且つ後方に向かって開口する開口部を有すると共に、当該開口部から前方に向かって挿し込まれた使用者の手のマッサージを可能とする手マッサージ部が設けられており、
前記手マッサージ部は、前部を中心として後部が上下方向に揺動自在とされていることを特徴とする椅子型マッサージ機。
【請求項２】
前記手マッサージ部は、上方揺動位置が前記開口部からの手の挿し込みが可能とされる使用位置とされ、下方揺動位置が前記開口部からの手の挿し込みが規制される格納位置とされていることを特徴とする請求項１に記載の椅子型マッサージ機。
【請求項３】
前記使用位置では、前記手マッサージ部の後部が上方向に揺動して前記肘掛け部の上辺より上方に突出した状態となることを特徴とする請求項２に記載の椅子型マッサージ機。
【請求項４】
前記手マッサージ部は、前記肘掛け部の幅方向内側に配備された一の側面体と、前記一の側面体と対面するように配置された他の側面体とからなる平らな形状をした有底袋体であって、
前記手マッサージ部は、前記座部に対して起立した状態で肘掛け部の幅方向内側に配設されていることを特徴とする請求項１〜３のいずれかに記載の椅子型マッサージ機。
【請求項５】
前記手マッサージ部は、左右方向に膨張可能とされた第１空気袋と、当該第１空気袋と対面するように配置された可撓性を有する板材と、を有しており、
前記第１空気袋が、前記一の側面体上であって前記開口部に隣接する位置に配置され、
前記板材が、前記他の側面体上であって前記開口部に隣接する位置に配置されており、
前記板材の前側に位置する他の側面体の部位は、伸縮部材で形成されていることを特徴とする請求項４に記載の椅子型マッサージ機。
【請求項６】
前記肘掛け部の内側であって且つ手マッサージ部の後側には、左右方向に膨張可能とされ、使用者の下肢乃至は腰部を押圧マッサージする第２空気袋が配備されていることを特徴とする請求項１〜５のいずれかに記載の椅子型マッサージ機。
【請求項７】
前記第２空気袋が膨張する際には、当該第２空気袋の上部に使用者の上肢を載置可能とする載置部が形成されることを特徴とする請求項１〜６のいずれかに記載の椅子型マッサージ機。
【発明の詳細な説明】
【技術分野】
【０００１】
本発明は、椅子型マッサージ機に備えられたマッサージ用空気袋（エアバッグ）の技術に関する。
【背景技術】
【０００２】
従来より、座部に着座した使用者の背部をマッサージする椅子型マッサージ機が開発されている。このような椅子型マッサージ機の中には、使用者の背部だけでなく、手や腕をマッサージ可能とするものもある。このような椅子型マッサージ機として特許文献１や特許文献２に示すものがある。
特許文献１は、座面、背もたれ、肘掛けを備えた椅子式マッサージ機において、肘掛けと、肘掛けの上方に間隔を隔てて設けられた壁との対向する面の双方に、空気圧により膨張・収縮可能な空気袋をそれぞれ複数備えた椅子式マッサージ機を開示している。
【０００３】
また、特許文献２は、座部と、該座部に対して傾倒することが可能な背凭れ部とを備える椅子型のマッサージ機において、前記背凭れ部の傾倒方向と略同一の方向へ移動することが可能であり、被施療者の腕部を保持する保持部と、該保持部に設けられ、被施療者の腕部を施療する施療部とを備えたマッサージ機を開示している。
【先行技術文献】
【特許文献】
【０００４】
【特許文献１】特開２０１１−０１９９８０号公報
【特許文献２】特開２０１２−１２５６５０号公報
【発明の概要】
【発明が解決しようとする課題】
【０００５】
特許文献１のマッサージ機は、肘掛け部に設けた空気袋によって、当該肘掛け部に載置した手や腕などを挟み込んで押圧してマッサージを行うものであり、特許文献２のマッサージ機は、施療部に腕全体を挿入し、施療部に設けた空気袋によって腕部にマッサージを行うものである。
しかしながら、特許文献１および特許文献２に開示された椅子型マッサージ機は、肘掛け部の上部側に腕部をマッサージする装置（施療部）が上方に張り出すように設けられているため、装置自体が大きくなり且つ複雑化すると共に、使用者も非常に使い難い構造となっている。さらに、装置自体が大きくて複雑な構造となることで、装置の部品点数が増大し、それに伴うコストの上昇も避けられないものとなっている。
【０００６】
また、このような椅子型マッサージ機に着座してマッサージを受ける使用者は、毎回、手や腕部のマッサージを希望するわけではない。その場合、上方に張り出すように設けられた腕部用の施療部は、邪魔なものとなる。
例えば、使用者によっては、腰部や背部のマッサージだけを希望する場合もある。その場合、手や腕をマッサージする装置は、当然腰や下肢をマッサージ中の使用者に対して、邪魔にならないような位置に格納されることが好ましい。一方で、使用者は、手や腕のマッサージを希望する場合もある。その場合、手や腕をマッサージする装置を使用者がリラックスしながら手や腕のマッサージを受けられる位置に移動しておく必要がある。
【０００７】
本発明は、上記事情に鑑みてなされたものであって、手や腕部に対してマッサージを行う手マッサージ部を簡単な構成で且つ容易に格納できるようにしつつも、快適なマッサージ感が得られる椅子型マッサージ機を提供することを目的とする。
【課題を解決するための手段】
【０００８】
前記目的を達成するため、本発明においては以下の技術的手段を講じた。
本発明の椅子型マッサージ機は、使用者が着座する座部と、この座部の後部に設けられた背もたれ部と、座部の幅方向両側に立設された肘掛け部と、を有する椅子型マッサージ機において、前記肘掛け部の幅方向内側には、有底袋体とされ且つ後方に向かって開口する開口部を有すると共に、当該開口部から前方に向かって挿し込まれた使用者の手のマッサージを可能とする手マッサージ部が設けられており、前記手マッサージ部は、前部を中心として後部が上下方向に揺動自在とされていることを特徴とする。
【０００９】
好ましくは、前記手マッサージ部は、上方揺動位置が前記開口部からの手の挿し込みが可能とされる使用位置とされ、下方揺動位置が前記開口部からの手の挿し込みが規制される格納位置とされているとよい。
好ましくは、前記使用位置では、前記手マッサージ部の後部が上方向に揺動して前記肘掛け部の上辺より上方に突出した状態となるとよい。
【００１０】
好ましくは、前記手マッサージ部は、前記肘掛け部の幅方向内側に配備された一の側面体と、前記一の側面体と対面するように配置された他の側面体とからなる平らな形状をした有底袋体であって、前記手マッサージ部は、前記座部に対して起立した状態で肘掛け部の幅方向内側に配設されているとよい。
好ましくは、前記手マッサージ部は、左右方向に膨張可能とされた第１空気袋と、当該第１空気袋と対面するように配置された可撓性を有する板材と、を有しており、前記第１空気袋が、前記一の側面体上であって前記開口部に隣接する位置に配置され、前記板材が、前記他の側面体上であって前記開口部に隣接する位置に配置されており、前記板材の前側に位置する他の側面体の部位は、伸縮部材で形成されているとよい。
【００１１】
好ましくは、前記肘掛け部の内側であって且つ手マッサージ部の後側には、左右方向に膨張可能とされ、使用者の下肢乃至は腰部を押圧マッサージする第２空気袋が配備されているとよい。
好ましくは、前記第２空気袋が膨張する際には、当該第２空気袋の上部に使用者の上肢を載置可能とする載置部が形成されるとよい。
【発明の効果】
【００１２】
本発明に係る椅子型マッサージ機によれば、手や腕部に対してマッサージを行う手マッサージ部を簡単な構成で且つ容易に格納できるようにしつつも、快適なマッサージ感が得られる。
【図面の簡単な説明】
【００１３】
【図１】本発明の椅子型マッサージ機を左斜め前方から見た斜視図である。
【図２】本発明の椅子型マッサージ機を右斜め前方から見た斜視図である。
【図３】格納位置にある手マッサージ部を示した右側面図である（右側の肘掛け部は省略している）。
【図４】使用位置にある手マッサージ部を示した右側面図である（右側の肘掛け部は省略している）。
【図５】手マッサージ部の構成を示した斜視図である（座部は省略）。
【図６】手マッサージ部に使用者の手を挿入した状態を示した斜視図である（座部は省略）。
【図７】手マッサージ部の内部を示した断面平面図である。
【図８】第２空気袋が膨張し、載置部が形成される様子を示した図である。
【図９】前腕を第２空気袋の載置部に載置すると共に、手を手マッサージ部に挿入してマッサージする状況を示した図である。
【発明を実施するための形態】
【００１４】
以下、本発明の実施形態を、図を基に説明する。
図１は、本発明に係る椅子型マッサージ機１を示している。
図１、図２に示すように、椅子型マッサージ機１は、使用者Ｍが着座する座部２と、この座部２の後部に設けられた背もたれ部３と、座部２の前部に設けられたフットレスト部４と、座部２の幅方向両側に立設された肘掛け部５と、を有している。
【００１５】
以下、椅子型マッサージ機１に座った使用者Ｍから見た方向を基準として、椅子型マッサージ機１を説明する。すなわち、図９の左側を右側とし、図９の右側を説明での左側とする。また、図９での上下方向を説明での上下方向とし、図２の紙面貫通方向を前後方向とする。なお、各図では説明の便宜上、構造の一部を省略して描いてある。
また、本明細書では、マッサージが施術される部位として、「上腕部Ｕ」、「前腕部Ｖ」、「手Ｗ」、「上肢Ｘ」、「下肢Ｄ」といった表現をする。「上腕部Ｕ」は使用者Ｍの肩から肘までの部分のことを表し、「前腕部Ｖ」は使用者Ｍの肘から手首までの部分のことを表す。また、「手Ｗ」は、使用者Ｍの手首から先の部分（甲、掌、指）のことを表す。これら、「上腕部Ｕ」、「前腕部Ｖ」、「手Ｗ」の全体を総称して「上肢Ｘ」とする。一方、「下肢Ｄ」は、使用者Ｍの腰から太腿までの部分を表す。
【００１６】
椅子型マッサージ機１の座部２は、上面に使用者Ｍが腰を下ろして着座できるように略水平に配備されている。座部２は、枠体の上に配備されたクッションと、枠体とクッションとを外側から覆うカバーとから構成されている。座部２の下部には、この椅子型マッサージ機１を床面へ設置するための脚体（基礎フレーム）が設けられており、この脚体によって座部２が所定高さに支持されるようになっている。
【００１７】
背もたれ部３は、使用者Ｍがもたれ掛かることができるように座部２の後側に配備された部材である。背もたれ部３は、座部２の後側に設けられた左右方向を向く軸回りに揺動自在に枢支されており、脚体内に配設されたリクライニング機構（図示せず）により、垂直に起立した状態から水平に倒れた状態にまでリクライニング可能となっている。また、背もたれ部３の内部には、座部２に着座した使用者Ｍの背中に対して揉みや叩きなどのマッサージを行う揉み叩きマッサージ機構（図示せず）が設けられている。
【００１８】
さらに、背もたれ部３の左右両側には、使用者Ｍの上腕部Ｕの側方を押圧することでマッサージを行う上腕マッサージ機構１０が設けられている。この上腕マッサージ機構１０は、背もたれ部３の両側に前方に突出状に設けられた一対の突出片を有しており、この突出片の左右方向内側壁に、上腕用空気袋（上腕用エアバッグ）が設けられている。背もたれ部３の左右両側に配置された上腕用エアバッグは、使用者Ｍの上腕部Ｕの位置を挟んで対向する配置であり、空気供給部（図示しない）から空気が供給されることで膨張し、空気を排気すれば収縮するようになっている。この膨張と収縮とを所定リズムに合わせて脈動的に繰り返せば、背もたれ部３にもたれ掛かった使用者Ｍの上腕部Ｕを、左右両側から対向状に押圧マッサージすることができる。
【００１９】
また、左右側面に設けられた上腕マッサージ機構１０、すなわち、上腕用エアバッグが取り付けられた突出片は、前方に突出した状態から幅方向外側に開くように揺動自在とされている。
例えば、使用者Ｍが椅子型マッサージ機１に着座する前に、上腕マッサージ機構１０を幅方向外側に開いておき、そして、使用者Ｍが椅子型マッサージ機１に着座すると、上腕マッサージ機構１０を幅方向内側（前方に突出した状態に戻す）に閉じる。このように、上腕マッサージ機構１０を幅方向外側に開いておくと、使用者Ｍが着座するときに邪魔にならない。また、使用者が、椅子型マッサージ機１を単なる椅子として利用するに際しても、上腕マッサージ機構１０を幅方向外側に開いておけば、使用者Ｍに対して邪魔になることはない。
【００２０】
上述の動きを実現させるために、上腕マッサージ機構１０には、幅方向外側に揺動することができる揺動機構が備えられている。この揺動機構は、蝶番のような動きをするラチェット機構で構成され、上腕マッサージ機構１０を幅方向に２段〜多段に開状態で揺動させるようになっている。
フットレスト部４は、使用者Ｍの脚（膝下）を載置することができるように座部２の前側に配備された部材である。フットレスト部４は、座部２の下側に収納可能とされ、座部２の下側の収納位置から座部２の前方に進出することで使用者Ｍの脚（膝下）をマッサージ可能となっている。この脚用マッサージ装置の内部には、使用者Ｍの脚に対して脚用空気袋（脚用エアバッグ）等により押圧マッサージを行う下肢マッサージ機構（図示せず）が搭載されている。
【００２１】
肘掛け部５は、床面に対して垂直に起立した板状の部材であって、座部２の幅方向両側に互いに距離をあけて立設されている。この肘掛け部５は、座部２の左側に配備される左肘掛け部５Ｌと、座部２の右側に配備される右肘掛け部５Ｒとで構成されている。
これらの左右肘掛け部５Ｌ、５Ｒは、いずれも前後方向に伸びるように設けられており、左右肘掛け部５Ｌ，５Ｒの上面は腕を載せて支障なく伸ばすことができるような幅を有すると共に前後方向になだらかに形成されている。
【００２２】
ところで、本実施形態の場合、肘掛け部５の幅方向内側には、使用者Ｍの手Ｗのマッサージを可能とする手マッサージ部２０が、設けられている。  
図３〜図７に示すように、手マッサージ部２０は、肘掛け部５の幅方向の内壁面に配備された有底袋体であって、後方に向かって開口する開口部２１を有するものとなっている。この開口部２１から前方に向かって挿し込まれ、差し込まれた使用者Ｍの手Ｗがマッサージされるものとなっている。
【００２３】
本実施形態の手マッサージ部２０は、加熱された鍋を掴む際に使用する手袋、所謂、「鍋つかみ」のような外観形状を呈しており、座部２に対して起立した状態（立てられた状態）で配設されている。
具体的には、座部２の左端部の前側に左手用の手マッサージ部２０Ｌが設けられ、座部２の左端部の前側に右手用の手マッサージ部２０Ｒが設けられている。
【００２４】
以下、手マッサージ部２０の構成について詳細に説明する。
前述の如く、手マッサージ部２０は、鍋つかみのような外観形状を呈しており、手Ｗよりも少し広い面体が２つ対面するように配置され、これら２つの面体の外周辺が、一部の外周辺を残して縫い付けられて構成されている。縫い付けられていない一部の外周辺は、手マッサージ部２０の開口部２１として形成される。
【００２５】
平らな形状の手マッサージ部２０は、開口部２１を背もたれ部３に向けて座部２に対して起立した状態（２つの面体が垂直に立設した状態）で、座部２の幅方向端部と肘掛け部５の幅方向内側との間に配設されている。
手マッサージ部２０を構成する２つの面体は、肘掛け部５の幅方向内壁面に接するように設けられた「一の側面体２２」と、一の側面体２２に対面し且つ使用者側に設けられる「他の側面体２３」とからなる。このような手マッサージ部２０に手を差し入れた場合、一の側面体２２の内面が手の甲（手Ｗ）に接するものとなり、他の側面体２３の内面が手のひら（掌）に接するものとなる。手マッサージ部２０を構成する２つの面体は、合成皮革や布のような柔軟性、可撓性のある部材が用いられ、手Ｗの形状に沿うようになっている。
【００２６】
一の側面体２２の内側壁であって開口部２１に隣接する位置には、左右方向に膨張可能とされた第１空気袋２４（第１エアバッグ２４）が配置されている。
この第１エアバッグ２４は、差し入れられた手の甲（手Ｗ）に対面する部分に配置されていて、手の甲（手Ｗ）と略同じ大きさの正方形状の面を有した平らな空気袋である。第１エアバッグ２４は、座部２に対して起立した状態で一の側面体２２の内面に沿うように配置され、空気供給部（図示せず）から供給される空気によって正方形状の面が左右方向に膨張するようになっている。第１エアバッグ２４が膨張することにより、手の甲（手Ｗ）を押圧マッサージする。
【００２７】
一方、他の側面体２３の内側壁であって開口部２１に隣接する位置には、可撓性を有する板材２５が配置されており、第１エアバッグ２４と対面するようになっている。
この板材２５は、差し入れられた手のひら（手Ｗ）に対面する部分に配置されていて、折り曲げても折れない弾力性を有したものであり、手のひら（手Ｗ）と略同じ大きさの正方形状の面を有した平らな部材である。
【００２８】
板材２５は、座部２に対して起立した状態で他の側面体２３の内面に沿うように配置され、第１エアバッグ２４の膨張による手のひら（手Ｗ）の押し出しを受け止めるようになっている。この可撓性を有する板材２５が第１エアバッグ２４と対面するように配置されていることで、板材２５は第１エアバッグ２４の膨張によって押し出された手のひら（手Ｗ）を幅方向外側に向かって支持するようになり、第１エアバッグ２４による押圧マッサージの効果を確実なものとしている。
【００２９】
また、板材２５の前側に位置する他の側面体２３の部位（手マッサージ部２０先端の幅方向内側）は、合成皮革や布や合成繊維などの伸縮部材２６で形成されている。つまり、面体を構成する可撓性のある部材がそのままとされている。この伸縮部材２６は、手マッサージ部２０に挿入された使用者Ｍの手Ｗの先端（指）に対応する場所に形成されており、第１エアバッグ２４の膨張によって幅方向内側に押し出される使用者Ｍの手Ｗの押圧によって伸縮するようになっている。
【００３０】
上述した構成を有する手マッサージ部２０の上部側は、座部２、或いは、肘掛け部５とつながってはいない。また、手マッサージ部２０の下部側は、座部２に対して直接連結されておらず、次に述べる介在部材２７を介して座部２の内部に取り付けられている。この介在部材２７があることで、手マッサージ部２０は、前部を中心として後部が上下方向に揺動自在となる。
【００３１】
図３、図４に示すように、介在部材２７は、側面から見ると直角三角形状をした布や皮などで形成された生地（可撓性部材）であり、座部２の内部に収縮するように収納されている。介在部材２７は、手マッサージ部２０が上方に揺動するに連れて広がっていき、手マッサージ部２０の揺動を可能にしている。
介在部材２７の斜辺（長辺）が手マッサージ部２０の下部側に縫い付けられており、介在部材２７の底辺が座部２の側部に縫い付けられている。また、介在部材２７の短辺は、どこにも縫い付けられておらず、フリーの状態となっている。なお、手マッサージ部２０の上部側はどこにも縫いつけられてはいない。
【００３２】
このような介在部材２７がある故に、図３，図４のように、手マッサージ部２０は、前部を中心として後部が上下方向に揺動自在となる。図４のように、介在部材２７が延びきって直角三角形の形状となるように、手マッサージ部２０を上方へ引き出すことで、手マッサージ部２０の後部が上方向に揺動して肘掛け部５の上辺より上方に突出した状態となると共に、手マッサージ部２０は、開口部２１からの手の挿し込みが可能とされる位置となる（使用位置）。つまり、介在部材２７は、手マッサージ部２０が上方に揺動するに伴って扇状に広がるようになっている。
【００３３】
逆に、図３のように、手マッサージ部２０を下方へ押し戻すことで、手マッサージ部２０の後部が下方向に揺動して肘掛け部５と略同じ位置になると共に、手マッサージ部２０は、開口部２１からの手の挿し込みが規制される位置となる（格納位置）。格納位置では、手マッサージ部２０と肘掛け部５とが側面視で重なり合う（オーバラップする）ようになる。
また、介在部材２７は、上辺と手マッサージ部２０、下辺と座部２の内部にそれぞれ縫いつけられていることで、手マッサージ部２０が上方へ揺動しすぎないように抑制する役割も担っている。例えば、図４に示すように、介在部材２７の上辺が水平面に対して約３０°前方に傾くようになっており、手マッサージ部２０が３０°以上前方に傾斜しないようになっている。また、介在部材２７が拡縮自在であるため、手マッサージ部２０が格納される際には介在部材２７はコンパクトに収縮可能となっている。
【００３４】
介在部材２７の斜辺と手マッサージ部２０の下部、介在部材２７の底辺と座部とは、縫合されていると説明したが、ファスナーなど着脱自在の固定具を用いて取り付けられていてもよい。
以上の構成を備える手マッサージ部２０によれば、使用者Ｍが手Ｗのマッサージを希望するときにだけ、手マッサージ部２０を上方に持ち上げることができる。また、使用者Ｍが手Ｗのマッサージを希望しないときには、肘掛け部５の側方に格納しておくことができる。
【００３５】
なお、介在部材２７を用いずに、手マッサージ部２０の前部下端側を左右方向軸心回りに回動自在に軸支することによっても、手マッサージ部２０の後部を上下方向に揺動自在とすることができる。
さらに、図５〜８に示すように、座部２と肘掛け部５との間には、使用者Ｍの下肢Ｄ（特に、腰〜臀部〜大腿部の側面）を押圧することによりマッサージを行う腰マッサージ機構３０が設けられている。この腰マッサージ機構３０は、幅方向（座部２の左右方向）に膨張する第２空気袋（第２エアバッグ３１）を備えている。この第２エアバッグ３１は、前後方向に沿って、第１エアバッグ２４と背もたれ部３との間に配備されている。
【００３６】
図５，図６に示すように、第２エアバッグ３１は、前後方向に長い長方形状の２つのエア袋の対向面側（幅方向）を、互いに接続して１つの袋体にすることにより構成されている。第２エアバッグ３１は、空気供給部（図示せず）から供給される空気によって長い長方形状の面が左右方向に膨張するようになっている。
第２エアバッグ３１が左右方向に膨張すると、第２エアバッグ３１の上部側には、肘掛け部５のような、使用者Ｍの前腕部Ｖを載置することができる載置部３２が形成される。この載置部３２は、第２エアバッグ３１の前後方向の中央がくぼんだ溝状の載置面を有している。載置部３２のくぼみは、第２エアバッグ３１が前後方向に長い長方形状の２つのエア袋の対向面側を互いに接続して１つの袋体にするように構成されているため、第２エアバッグ３１が膨張すると形成されるものである。
【００３７】
また、第２エアバッグ３１の幅方向内側（座部２を向く面）は、下肢Ｄを押圧する下肢押圧部３３とされている。
このような構成をした第２エアバッグ３１は、座部２の幅方向の両端部側で、且つ肘掛け部５の内側に隣接する位置に配備されている。
座部２の幅方向の左端部であって、左の手マッサージ部２０Ｌの後側には、左の第２エアバッグ３１Ｌが配備され、座部２の幅方向の右端部であって、右の手マッサージ部２０Ｒの後部側には、右の第２エアバッグ３１Ｒが配備されている。
【００３８】
左の第２エアバッグ３１Ｌの下部側は、左側の座部２と左肘掛け部５Ｌとが接する部位に連結するように、左側の座部２、或いは、左肘掛け部５Ｌの内側面に取り付けられている。また、左の第２エアバッグ３１Ｌの上部側は、座部２、或いは、左肘掛け部５Ｌとつながってはいない。
左の第２エアバッグ３１Ｌと同じように、右の第２エアバッグ３１Ｒの下部側は、右側の座部２と右肘掛け部５Ｒとが接する部位に連結するように、右側の座部２、或いは、右肘掛け部５Ｒの内側面に取り付けられている。また、右の第２エアバッグ３１Ｒの上部側は、座部２、或いは、右肘掛け部５Ｒとつながっていない。
【００３９】
以下、図３〜図９を用いて、本発明の椅子型マッサージ機１の動作について説明する。
まず、図９に示すように、使用者Ｍは、椅子型マッサージ機１の座部２に着座して、操作スイッチをオンにし、背もたれ部３の内部に設けられた揉み叩きマッサージ機構を動作させる。すると、使用者Ｍは背中に対して揉みや叩きなどのマッサージを受けることができるようになる。このとき、背もたれ部３を後方へ倒すようにリクライングさせてもよい。
【００４０】
また、背もたれ部３の左右両側に配備された上腕マッサージ機構１０を作動させれば、使用者Ｍの上腕部Ｕに対して左右両側から対向状に押圧マッサージを受けることができる。加えて、使用者Ｍは、フットレスト部４に脚（膝下）を載置してフットレスト部４を上方に揺動させる。そして、フットレスト部４に配備された脚マッサージ機構を作動させると、脚（膝下）に対して押圧マッサージを受けることもできる。
【００４１】
さらに、本発明の椅子型マッサージ機１に配設された手マッサージ部２０を用いて、手に対するマッサージを行うこともできる。
まず、座部２に着座した使用者Ｍは、格納位置にある手マッサージ部２０の上辺をつかんで使用位置まで持ち上げる。
持ち上げた場合、図４に示すように、手マッサージ部２０は、下部側の前方を中心として、円弧を描くように揺動するようになる。このとき、手マッサージ部２０に縫い付けられた介在部材２７は、手マッサージ部２０の揺動に連動しながら広がってゆく。介在部材２７が上方に広げられると、手マッサージ部２０の開口部２１の下端側は、第２エアバッグ３１の前側の略中央ぐらいの高さにまで上昇するようになる。使用位置においては、手マッサージ部２０は、水平面に対して例えば約３０°といった仰角を備えるようになる。
【００４２】
そして、使用者Ｍは、手Ｗを開口部２１から手マッサージ部２０の内部に挿し込む。
図６及び図７に示すように、手Ｗが挿入された手マッサージ部２０においては、第１エアバッグ２４が膨張し、膨張した第１エアバッグ２４は、使用者Ｍの手の甲（手Ｗ）を押圧するようになる。手の甲（手Ｗ）が押圧されると、手Ｗは幅方向内側に押されるようになる。そうすると、手の甲（手Ｗ）の押し出しに伴って手のひら（手Ｗ）は板材２５を幅方向内側に押すようになる。一方、板材２５は、手のひら（手Ｗ）に沿うように変形するが、手のひら（手Ｗ）の押圧に対して反発するような力が働くようにもなる。また、指は、手の甲（手Ｗ）及び手のひら（手Ｗ）の動作に連動して幅方向外側に引っ張られるようになる。このとき、指と対面するように配置されている伸縮部材２６は、指の反りに伴って伸張している。
【００４３】
手マッサージ部２０が上述した動作をすることにより、手Ｗは平面視で幅方向外側に反るようになりながら、押圧マッサージを受けることができる。
一方、図８に示すように、手マッサージ部２０の内部に備えられた第１エアバッグ２４の膨張に連動するように第２エアバッグ３１が膨張するようになる。膨張した第２エアバッグ３１は、座部２に着座した使用者Ｍの下肢Ｄを側方から押圧マッサージするようになる。このとき、膨張した第２エアバッグ３１の上部側には、前後方向にくぼんだ溝状の載置面を有する載置部３２が形成される。載置部３２が形成されると、使用者Ｍは、前腕部Ｖをくぼんだ溝状の載置部３２に沿わせるように載置する。前腕部Ｖを載置部３２に載せることで、使用者Ｍは上肢Ｘをリラックスさせながら、手のマッサージを受けることができる。
【００４４】
以上、椅子型マッサージ機１によれば、図９に示すように、手マッサージ部２０に使用者Ｍの手Ｗを入れて第１エアバッグ２４を膨張させると、使用者Ｍの手の甲（手Ｗ）を板材２５に向けて押圧する。そして、手マッサージ部２０に入れた手指が反るような形でマッサージを受けることとなる。即ち、第１エアバッグ２４が手の甲（手Ｗ）を内側（座部２側）に向けて押すため手首が内側に移行するに伴って指が引き伸ばされるように反るため、手Ｗ又は指のストレッチを行うことができる。
【００４５】
また、第２マッサージ機構では、第２エアバッグ３１の膨張により、第２エアバッグ３１の上部に前腕を載せることができる載置部３２が形成されると共に、下肢Ｄの側方をマッサージすることができる。故に、本発明の椅子型マッサージ機１は、使用者Ｍの手Ｗ及び下肢Ｄ（腰部〜臀部〜太腿）に対して簡単な構成で且つ快適な押しマッサージを行うことができるようになる。
【００４６】
これにより、使用者Ｍは好みに応じて、手Ｗ、上腕部Ｕ、下肢Ｄなどのマッサージを選択することが可能である。
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４７】
１      椅子型マッサージ機
２      座部
３      背もたれ部
４      フットレスト部
５      肘掛け部
５Ｌ    左肘掛け部
５Ｒ    右肘掛け部
１０    上腕マッサージ部
２０    手マッサージ部
２０Ｌ  左手用の手マッサージ部
２０Ｒ  右手用の手マッサージ部
２１    開口部
２２    一の側面体
２３    他の側面体
２４    第１エアバッグ（第１空気袋）
２５    板材
２６    伸縮部材
２７    介在部材
３０    腰マッサージ機構
３１    第２エアバッグ（第２空気袋）
３１Ｌ  左の第２エアバッグ
３１Ｒ  右の第２エアバッグ
３２    載置部
３３    下肢押圧部
Ｄ      下肢
Ｍ      使用者
Ｕ      上腕部
Ｖ      前腕部
Ｗ      手
Ｘ      上肢
【図１】
2014061238.tif 000003
【図２】
2014061238.tif 000004
【図６】
2014061238.tif 000005
【図７】
2014061238.tif 000006
【図３】
2014061238.tif 000007
【図４】
2014061238.tif 000008
【図５】
2014061238.tif 000009
【図８】
2014061238.tif 000010
【図９】
2014061238.tif 000011